(57)【要約】【課題】蓄積型のマルチシナリオコンテンツでは、シナリオ分岐に関する情報を予め視聴済みの他の利用者から入手可能であり、作成者の意図を先入観を交えることなくダイレクトに利用者に提供できない場合が考えられ、また、やり直しの自由からシナリオの選択に重みがなくなる。【解決手段】番組の選択がシナリオの選択となる放送型のマルチシナリオコンテンツでシナリオの選択を一択とすることにより、利用者は未放送の番組に対して予め自分の選択の結果を知ることはできず、作成者が予め提供する番組情報以上の予備知識なしにコンテンツの個々の内容に応じた、やり直しを許されないシナリオ分岐を楽しむことができる。【選択図】図１
2006041666.tif 000002
【特許請求の範囲】
【請求項１】
有線無線で送られてくる放送信号を受け取るアンテナなど放送受信手段と、利用者が見たい番組を選択するためのリモコンなど番組選択手段と、選択された番組を選局する選局手段と、番組タイトルなど番組情報を管理する番組情報管理手段と、番組情報から選択型放送番組を構成する一郡の選択肢番組グループを識別し利用者が選択肢の中の一つの番組だけを視聴することを強制する選択肢番組グループ内一択性管理手段と、利用者が番組を選択するための情報を表示する番組情報表示手段と、ディスプレイやスピーカなど出力手段を備えたことを特徴とする選択型放送番組の受信装置。
【発明の詳細な説明】
【技術分野】
【０００１】
本発明は、マルチチャンネル放送の受信装置に関するもので、特に同じ時間帯の複数番組を一組にして、番組の選択をシナリオの選択とするマルチシナリオ番組を受信する装置に関するものである。
【背景技術】
【０００２】
マルチシナリオ番組を提供する従来の方法は、サーバやメディアに蓄積されたシーンごとのビデオコンテンツを利用者の選択に従って再生させたり、特許文献１が示すようにシーンごとの付加情報に基づいてコンテンツを再構成するものだった。
【特許文献１】特開平１１−３４１４４９号公報
【発明の開示】
【発明が解決しようとする課題】
【０００３】
蓄積型のマルチシナリオコンテンツでは、シナリオ分岐に関する情報を予め視聴済みの他の利用者から入手可能であり、作成者の意図を先入観を交えることなくダイレクトに利用者に提供できない場合が考えられ、また、やり直しの自由からシナリオの選択に重みがなくなる。特開平１１−３４１４４９号公報が示す方法では、蓄積によらず放送中の番組シーンを差し替えることも出来るが、利用者は個々のコンテンツとは関係のない自分の好みなどといった抽象的な判断基準を予め設定しなければならず、個々のコンテンツの内容に応じたシナリオの分岐を楽しむことができない。
【課題を解決するための手段】
【０００４】
前記課題を解決するために、本発明の選択型放送番組の受信装置は、有線無線で送られてくる放送信号を受け取るアンテナなど放送受信手段と、利用者が見たい番組を選択するためのリモコンなど番組選択手段と、選択された番組を選局する選局手段と、番組タイトルなど番組情報を管理する番組情報管理手段と、番組情報から選択型放送番組を構成する一郡の選択肢番組グループを識別し利用者が選択肢の中の一つの番組だけを視聴することを強制する選択肢番組グループ内一択性管理手段と、利用者が番組を選択するための情報を表示する番組情報表示手段と、ディスプレイやスピーカなど出力手段を備えたことを特徴としたものである。
【０００５】
本発明の請求項１に記載の発明は、有線無線で送られてくる放送信号を受け取るアンテナなど放送受信手段と、利用者が見たい番組を選択するためのリモコンなど番組選択手段と、選択された番組を選局する選局手段と、番組タイトルなど番組情報を管理する番組情報管理手段と、番組情報から選択型放送番組を構成する一郡の選択肢番組グループを識別し利用者が選択肢の中の一つの番組だけを視聴することを強制する選択肢番組グループ内一択性管理手段と、利用者が番組を選択するための情報を表示する番組情報表示手段と、ディスプレイやスピーカなど出力手段を備えたことを特徴とする選択型放送番組の受信装置であり、作成者がシナリオ選択のための情報を番組情報に入れることにより、利用者は電子番組表のタイトル情報やより詳細な番組情報から番組を選択する従来の番組選択の方法でシナリオを選択することができ、一旦確定した選択は変更を制限され、自由な番組変更によるシナリオの破綻を回避する。また、番組の付加情報によらず番組自身の中で利用者に対して選択肢となる番組の提示および選ぶ時間を提供することも考えられる。
【０００６】
本発明によれば、番組の選択がシナリオの選択となる放送型のマルチシナリオコンテンツの提供が可能であり、利用者は未放送の番組に対して予め自分の選択の結果を知ることはできず、作成者が予め提供する番組情報以上の予備知識なしにコンテンツの個々の内容に応じたシナリオの分岐を楽しむことができる。また、シナリオの一択性により選択の重みが増す。
【発明の効果】
【０００７】
以上のように、本発明の選択型放送番組の受信装置によれば、シナリオの一択性が保障されたマルチシナリオコンテンツの放送が可能である。
【発明を実施するための最良の形態】
【０００８】
以下、本発明の実施例について、図１から図３を用いて説明する。
【０００９】
（実施の形態１）
図１は本発明の請求項１に記載の選択型放送番組の受信装置を示すブロック図である。本発明の選択型放送番組の受信装置は、アンテナなどマルチチャンネル放送を受信する放送受信手段１、例えばリモコンなど利用者入力手段である番組選択手段２、利用者の入力に従って利用者の意図する番組を選局する選局手段３、前記選局手段による選局を番組情報と前記番組選択手段による利用者入力を元に制御する番組情報管理手段４、前記番組情報管理手段からの問い合わせに基づき選局の可否を判断する選択肢番組グループ内一択性管理手段５、利用者へ番組情報を提示する番組情報表示手段６、番組自身や番組情報を利用者に提供するディスプレイやスピーカである出力手段７で構成されている。
【００１０】
図２で、本発明のシナリオ一択性のための選局可否を判断する手順を説明する。選局の候補となる番組は、図１番組情報表示手段６で利用者に電子番組表といった形で番組情報を提示して利用者が図１番組選択手段２を使って選択するか、あるいは、利用者が図１番組選択手段２でチャンネル番号を押すなどによって直接選択することによって得られる。選局候補の番組を得た図１番組情報管理手段４は、図１選択肢番組グループ内一択性管理手段５に選局の可否を問い合わせる。図１選択肢番組グループ内一択性管理手段５では、選局の候補となった番組が番組情報からマルチシナリオ番組と判断された場合、該当シナリオに選局履歴があるかどうかを調べる。
【００１１】
選局履歴がなかった場合、Ｓ０１で該当シナリオの選局履歴を作成して番組情報からシナリオの有効期限を設定する。シナリオ有効期限は例えば連続ドラマ番組などで該当シナリオが放送される期間であり有効期限の間だけ履歴は保存される。選局履歴があった場合、有効期限を確かめ、履歴情報と番組情報からシナリオ分岐可能な番組が選ばれているか確認する。番組情報としては例えば過去のどの番組から該当番組が遷移可能かを示す情報が提供される。遷移可能な番組が選ばれていた場合、同一時間帯の選局履歴を確認する。選局履歴がなければ、Ｓ０２で現在時間を該当時間帯の最初の選局時間として記録する。記録した最初の選局時間から一定時間内だけ番組を選び直すことが出来るが、一定時間以降は該当マルチシナリオ番組の他の番組すなわち他のシナリオへ変更することはできない。
【００１２】
なお、画面にメッセージを出すなどして明示的に利用者へシナリオ確定の確認を取ることもできる。最初の選局あるいは一定時間内の再選局であった場合、Ｓ０３で該当番組をシナリオ選局履歴に記録し、次回のシナリオ分岐における番組選択の判断基準の一つとし、図１番組情報管理手段４に選局可を返す。
【００１３】
図３で、本発明の選局履歴と遷移可能な番組および不可能な番組の例を示す。各番組は該当シナリオの番組遷移図で遷移の矢印を逆にたどって得られる前番組リストを番組情報としてもっている。選局履歴には確定した最終の番組が保持されている。図は時間枠の一つＳ４を利用者が見なかった場合の例である。タイトル情報などから番組００９が利用者に選ばれた場合、選局履歴の最終の確定選局番組が遷移可能な前番組リストに含まれておらず番組００９自身が最終の確定選局番組でもないため選局不可と判断される。タイトル情報などから利用者が番組００Ａを選んだ場合、選局履歴の最終の確定選局番組が遷移可能な前番組リストにふくまれているため選局可能と判断される。
【００１４】
また、自分自身が最終の確定選局番組である番組も選局可能と判断される。最終の確定選局番組の時間枠（例ではＳ３）と異なる時間枠の番組が選局され、かつ、時間枠の最初の選局時間の時間枠（例ではＳ５）とも異なったとき、選局された現在時刻を時間枠の最初の選局時間として登録する。登録時から特定時間経過後に視聴番組を最終の確定選局番組として登録する。確定選局番組の登録により、同じ時間枠の他の番組は選局不可となり一択性が実現される。なお、確定選局番組の登録時には利用者へ番組選択が確定されることを通知することもできる。特定時間経過後に該当シナリオ番組以外が選局されていた場合は、時間枠の最初の選局時間をクリアする。なお、電子番組表で色分けするなど遷移可能な番組を前もって利用者に提示することもできる。
【産業上の利用可能性】
【００１５】
本発明の選択型放送番組の受信装置は、シナリオの一択性が保障されたマルチシナリオコンテンツの放送を可能としており、そのために、マルチチャンネル放送の受信装置で、特に同じ時間帯の複数番組を一組にして、番組の選択をシナリオの選択とするマルチシナリオ番組を受信する装置等として有用である。
【図面の簡単な説明】
【００１６】
【図１】本発明の選択型放送番組の受信装置の構成を示すブロック図
【図２】本発明のシナリオ一択性のための選局可否判断手順を示す図
【図３】本発明の選局履歴と遷移可能な番組および不可能な番組の例を示す図
【符号の説明】
【００１７】
１    放送受信手段
２    番組選択手段
３    選局手段
４    番組情報管理手段
５    選択肢番組グループ内一択性管理手段
６    番組情報表示手段
７    出力手段
【図１】
2006041666.tif 000003
【図２】
2006041666.tif 000004
【図３】
2006041666.tif 000005